(57)【要約】【課題】ＭＲＴにおける信号伝送を最適化すること。【解決手段】１つのケーブルで、前記ＭＲＴシステムの少なくとも１つの高周波送信信号に対する高周波信号（Ｔ）を伝送し、かつ、少なくとも１つのシムコイルに対するシム信号、および／または、少なくとも１つの傾斜磁場コイルに対する傾斜磁場信号を伝送する。【選択図】図１
2014061383.tif 000002
【特許請求の範囲】
【請求項１】
イメージングＭＲＴシステム（１０１）において少なくとも１つのケーブル（Ｋ）で信号（Ｇ，Ｔ，Ｓ）を伝送する方法であって、
・前記ＭＲＴシステム（１０１）の少なくとも１つの高周波送信コイル（Ｓ‐Ｔ）に対する高周波信号（Ｔ）、
かつ、
・少なくとも１つのシムコイル（Ｓ‐Ｓ）に対するシム信号（Ｓ）、および／または、少なくとも１つの傾斜磁場コイル（Ｓ‐Ｇ）に対する傾斜磁場信号（Ｇ）
を１つのケーブル（Ｋ）で伝送する
ことを特徴とする方法。
【請求項２】
１つのケーブル（Ｋ）で、高周波信号（Ｔ）とシム信号（Ｓ）とのみを一度に伝送する、
請求項１記載の方法。
【請求項３】
１つのケーブル（Ｋ）で、高周波信号（Ｔ）と傾斜磁場信号（Ｇ）とのみを一度に伝送する、
請求項１記載の方法。
【請求項４】
１つのケーブル（Ｋ）で、高周波信号（Ｔ）とシム信号（Ｓ）と傾斜磁場信号（Ｇ）とを一度に伝送する、
請求項１記載の方法。
【請求項５】
前記ケーブル（Ｋ）のうち少なくとも１つのケーブルとして同軸ケーブルを使用する、
請求項１から４までのいずれか１項記載の方法。
【請求項６】
前記ＭＲＴ（１０１）の局所コイル（１０６）まで、複数のケーブル（Ｋ）が設置されており、
前記複数のケーブル（Ｋ）のうちいずれか複数において、高周波信号（Ｔ）と、シム信号（Ｓ）および／または傾斜磁場信号（Ｇ）とを一度に伝送する、
請求項１から５までのいずれか１項記載の方法。
【請求項７】
前記局所コイル（１０６）はマルチチャネルコイルであり、
前記マルチチャネルコイルはとりわけ、複数の送信コイル（Ｓ‐Ｔ）および／または複数のシムコイル（Ｓ‐Ｓ）および／または複数の傾斜磁場コイル（Ｓ‐Ｇ）を有する、
請求項１から６までのいずれか１項記載の方法。
【請求項８】
前記ケーブル（Ｋ）のうち１つまたは複数において、１ケーブル（Ｋ）毎に、
・前記局所コイル（１０６）の少なくとも１つの高周波送信コイル（Ｓ‐Ｔ）への高周波信号（Ｔ）の伝送部である１つの高周波チャネルと、
・前記局所コイル（１０６）の少なくとも１つのシムコイル（Ｓ‐Ｓ）へのシム信号（Ｓ）の伝送部である１つのシムチャネル、および／または、前記局所コイル（１０６）の少なくとも１つの傾斜磁場コイル（Ｓ‐Ｇ）への傾斜磁場信号（Ｇ）の伝送部である１つの傾斜磁場チャネルと
が設けられている、
請求項１から７までのいずれか１項記載の方法。
【請求項９】
１つのケーブル（Ｋ）内の高周波チャネルは、前記局所コイル（１０６）の少なくとも１つの送信コイル（Ｓ‐Ｔ）への高周波信号（Ｔ）の伝送部を含み、
および／または、
１つのケーブル（Ｋ）内のシムチャネルは、前記局所コイル（１０６）の少なくとも１つのシムコイル（Ｓ‐Ｓ）へのシム信号（Ｓ）の伝送部を含み、
および／または、
傾斜磁場チャネルは、前記局所コイル（１０６）の少なくとも１つの傾斜磁場コイル（Ｓ‐Ｇ）への傾斜磁場信号（Ｇ）の伝送部を含む、
請求項１から８までのいずれか１項記載の方法。
【請求項１０】
前記シム信号（Ｓ）として、０．５〜１０Ａのシム電流を使用する、
請求項１から９までのいずれか１項記載の方法。
【請求項１１】
同軸ケーブル（Ｋ）の導体断面は５〜２０ｍｍであり、とりわけ１０ｍｍである、
請求項１から１０までのいずれか１項記載の方法。
【請求項１２】
前記ケーブル（Ｋ）のうち１つまたは複数が、局所コイル（１０６）と、前記ＭＲＴ（１０１）および／または患者用寝台（１０４）に設置されたインタフェース（Ｉ）との間に延在している、
請求項１から１１までのいずれか１項記載の方法。
【請求項１３】
少なくとも１つの各ケーブル（Ｋ）へ、高周波信号（Ｔ）と、シム信号（Ｓ）および／または傾斜磁場信号（Ｇ）とを供給する（Ｉ）、
請求項１から１２までのいずれか１項記載の方法。
【請求項１４】
少なくとも１つのケーブル（Ｋ）を備えたＭＲＴシステム（１０１）において、
前記ＭＲＴシステム（１０１）は、少なくとも１つのケーブル（Ｋ）において、
・少なくとも１つの高周波送信コイル（Ｓ‐Ｔ）に対する高周波信号（Ｔ）を伝送し、
かつ、
・少なくとも１つのシムコイル（Ｓ‐Ｓ）に対するシム信号（Ｓ）、および／または、少なくとも１つの傾斜磁場コイル（Ｓ‐Ｇ）に対する傾斜磁場信号（Ｇ）を伝送する
ように構成されていることを特徴とする、ＭＲＴシステム（１０１）。
【請求項１５】
前記ＭＲＴシステムは、１つのケーブル（Ｋ）で、高周波信号（Ｔ）とシム信号（Ｓ）とのみを一度に伝送する、
請求項１４記載のＭＲＴシステム。
【請求項１６】
前記ＭＲＴシステムは、１つのケーブル（Ｋ）で、高周波信号（Ｔ）と傾斜磁場信号（Ｇ）とのみを一度に伝送するように構成されている、
請求項１４記載のＭＲＴシステム。
【請求項１７】
前記ＭＲＴシステムは、１つのケーブル（Ｋ）で、高周波信号（Ｔ）とシム信号（Ｓ）と傾斜磁場信号（Ｇ）とを一度に伝送するように構成されている、
請求項１４記載のＭＲＴシステム。
【請求項１８】
前記ケーブル（Ｋ）のうち少なくとも１つは同軸ケーブルである、
請求項１４から１７までのいずれか１項記載のＭＲＴシステム。
【請求項１９】
前記ケーブル（Ｋ）は複数設けられており、
前記複数のケーブル（Ｋ）のうちいずれか複数は、および／または、当該ケーブル（Ｋ）に対応するインタフェース（Ｉ）は、各ケーブル（Ｋ）が、高周波信号（Ｔ）と、シム信号（Ｓ）および／または傾斜磁場信号（Ｇ）とを一度に伝送するように構成されている、
請求項１４から１８までのいずれか１項記載のＭＲＴシステム。
【請求項２０】
前記局所コイル（１０６）はマルチチャネルコイルであり、
前記マルチチャネルコイルはとりわけ、複数の送信コイル（Ｓ‐Ｔ）および／または複数のシムコイル（Ｓ‐Ｓ）および／または複数の傾斜磁場コイル（Ｓ‐Ｇ）を有する、
請求項１４から１９までのいずれか１項記載のＭＲＴシステム。
【請求項２１】
前記ケーブル（Ｋ）のうち１つまたは複数において、１ケーブル（Ｋ）毎に、
・前記局所コイル（１０６）の少なくとも１つの高周波送信コイル（Ｓ‐Ｔ）への高周波信号（Ｔ）の伝送部として構成された、１つの高周波チャネルと、
・前記局所コイル（１０６）の少なくとも１つのシムコイル（Ｓ‐Ｓ）へのシム信号（Ｓ）の伝送部として構成された、１つのシムチャネル、および／または、前記局所コイル（１０６）の少なくとも１つの傾斜磁場コイル（Ｓ‐Ｇ）への傾斜磁場信号（Ｇ）の伝送部として構成された、１つの傾斜磁場チャネルと
が設けられている、
請求項１４から２０までのいずれか１項記載のＭＲＴシステム。
【請求項２２】
１つのケーブル（Ｋ）内の高周波チャネルは、前記局所コイル（１０６）の少なくとも１つの送信コイル（Ｓ‐Ｔ）への高周波信号（Ｔ）の伝送部を含み、
および／または、
１つのケーブル（Ｋ）内のシムチャネルは、前記局所コイル（１０６）の少なくとも１つのシムコイルへのシム信号（Ｓ）の伝送部を含み、
および／または、
傾斜磁場チャネルは、前記局所コイル（１０６）の少なくとも１つの傾斜磁場コイル（Ｓ‐Ｇ）への傾斜磁場信号（Ｇ）の伝送部を含む、
請求項１４から２１までのいずれか１項記載のＭＲＴシステム。
【請求項２３】
シム信号（Ｓ）は、０．５〜１０Ａのシム電流である、
請求項１４から２２までのいずれか１項記載のＭＲＴシステム。
【請求項２４】
同軸ケーブルの導体断面は５〜２０ｍｍであり、とりわけ１０ｍｍである、
請求項１４から２３までのいずれか１項記載のＭＲＴシステム。
【請求項２５】
前記ケーブル（Ｋ）のうち１つまたは複数が、局所コイル（１０６）と、患者用寝台（１０４）に設置されたインタフェース（Ｉ）との間に延在している、
請求項１４から２４までのいずれか１項記載のＭＲＴシステム。
【請求項２６】
前記ケーブル（Ｋ）のうち１つまたは複数が、前記ＭＲＴおよび／または患者用寝台（１０４）上に設置されたインタフェース（Ｉ）と、当該ＭＲＴ（１０１）の別の装置、とりわけ位置固定された装置（１１０，１１４，１１７）との間に延在している、
請求項１４から２５までのいずれか１項記載のＭＲＴシステム。
【請求項２７】
前記ケーブル（Ｋ）のうち１つまたは複数が、インタフェース（Ｉ）から患者用寝台（１０４）を貫通するように延在している、
請求項１４から２６までのいずれか１項記載のＭＲＴシステム。
【請求項２８】
ケーブル（Ｋ）毎に高周波信号（Ｔ）とシム信号（Ｓ）および／または傾斜磁場信号（Ｇ）とを供給するためのインタフェース（Ｉ）が、１つのケーブル（Ｋ）毎に１つ設置されている、
請求項１４から２７までのいずれか１項記載のＭＲＴシステム。
【請求項２９】
複数の前記ケーブル（Ｋ）が合わさって１つのケーブルストランドを構成し、
前記ケーブルストランドはとりわけ、局所コイルからインタフェース（Ｉ）まで延在するケーブルストランド、および／または、インタフェース（Ｉ）から患者用寝台（１０４）を貫通するように延在するケーブルストランド、および／または、患者用寝台（１０４）から前記ＭＲＴ（１０１）の別の装置（１１０，１１４，１１７）まで延在しているケーブルストランドである、
請求項１４から２８までのいずれか１項記載のＭＲＴシステム。
【発明の詳細な説明】
【技術分野】
【０００１】
本発明は、信号伝送方法と、信号伝送用の少なくとも１つのケーブルを備えたＭＲＴとに関する。
【背景技術】
【０００２】
磁気共鳴断層撮影法によって対象物または患者を検査するための磁気共鳴装置（ＭＲＴ、ＭＲＴシステム）は、たとえばＤＥ１０３１４２１５Ｂ４から公知である。
【先行技術文献】
【特許文献】
【０００３】
【特許文献１】ＤＥ１０３１４２１５Ｂ４
【発明の概要】
【発明が解決しようとする課題】
【０００４】
本発明の課題は、ＭＲＴにおける信号伝送を最適化することである。
【課題を解決するための手段】
【０００５】
前記課題は、
・ＭＲＴシステムの少なくとも１つの高周波送信コイルに対する高周波信号、
かつ、
・少なくとも１つのシムコイルに対するシム信号、および／または、少なくとも１つの傾斜磁場コイルに対する傾斜磁場信号
を１つのケーブルで伝送する
ことを特徴とする方法によって解決される。
【０００６】
１つの実施形態では、１つのケーブルで、高周波信号とシム信号とのみを一度に伝送する。
【０００７】
１つの実施形態では、１つのケーブルで、高周波信号と傾斜磁場信号とのみを一度に伝送する。
【０００８】
１つの実施形態では、１つのケーブルで、高周波信号とシム信号と傾斜磁場信号とを一度に伝送する。
【０００９】
１つの実施形態では、前記ケーブルのうち少なくとも１つのケーブルとして同軸ケーブルを使用する。
【００１０】
１つの実施形態では、ＭＲＴの局所コイルまで、複数のケーブルが設置されており、前記複数のケーブルのうちいずれか複数において、高周波信号と、シム信号および／または傾斜磁場信号とを一度に伝送する。
【００１１】
１つの実施形態では、前記局所コイルはマルチチャネルコイルであり、前記マルチチャネルコイルはとりわけ、複数の送信コイルおよび／または複数のシムコイルおよび／または複数の傾斜磁場コイルを有する。
【００１２】
１つの実施形態では、前記ケーブルのうち１つまたは複数において、１ケーブル毎に、
・前記局所コイルの少なくとも１つの高周波送信コイルへの高周波信号の伝送部である１つの高周波チャネルと、
・前記局所コイルの少なくとも１つのシムコイルへのシム信号の伝送部である１つのシムチャネル、および／または、前記局所コイルの少なくとも１つの傾斜磁場コイルへの傾斜磁場信号の伝送部である１つの傾斜磁場チャネルと
が設けられている。
【００１３】
１つの実施形態では、
１つのケーブル内の高周波チャネルは、前記局所コイルの少なくとも１つの送信コイルへの高周波信号の伝送部を含み、
および／または、
１つのケーブル内のシムチャネルは、前記局所コイルの少なくとも１つのシムコイルへのシム信号の伝送部を含み、
および／または、
傾斜磁場チャネルは、前記局所コイルの少なくとも１つの傾斜磁場コイルへの傾斜磁場信号の伝送部を含む。
【００１４】
１つの実施形態では、前記シム信号として、０．５〜１０Ａのシム電流を使用する。
【００１５】
１つの実施形態では、同軸ケーブルの導体断面は５〜２０ｍｍであり、とりわけ１０ｍｍである。
【００１６】
１つの実施形態では、前記ケーブルのうち１つまたは複数が、局所コイルと、ＭＲＴおよび／または患者用寝台に設置されたインタフェースとの間に延在している。
【００１７】
１つの実施形態では、少なくとも１つの各ケーブルへ、高周波信号とシム信号および／または傾斜磁場信号とを供給する。
【００１８】
１つの実施形態では、前記ケーブルのうち１つまたは複数が、ＭＲＴおよび／または患者用寝台上に設置されたインタフェースと、当該ＭＲＴの別の装置、とりわけ位置固定された装置との間に延在している。
【００１９】
１つの実施形態では、前記ケーブルのうち１つまたは複数が、インタフェースから患者用寝台を貫通するように延在している。
【００２０】
１つの実施形態では、ケーブル毎に高周波信号とシム信号および／または傾斜磁場信号とを供給するためのインタフェースが、１つのケーブル毎に１つ設置されている。
【００２１】
１つの実施形態では、複数の前記ケーブルが合わさって１つのケーブルストランドを構成し、ケーブルストランドはとりわけ、局所コイルからインタフェースまで延在するケーブルストランド、および／または、インタフェースから患者用寝台を貫通するように延在するケーブルストランド、および／または、患者用寝台からＭＲＴの別の装置まで延在しているケーブルストランドである。
【図面の簡単な説明】
【００２２】
【図１】信号伝送用のケーブルを備えたＭＲＴシステムを示す概略図である。
【発明を実施するための形態】
【００２３】
従属請求項および明細書に、有利な実施形態が記載されている。
【実施例】
【００２４】
以下、図面を参照して実施例を説明する。以下の記載から、本発明の可能な実施形態の他の特徴および利点を導き出すことができる。
【００２５】
図１に、磁気共鳴イメージング装置ＭＲＴ１０１（シールドされた部屋またはファラデーケージＦ内に設置されている）を示す。この磁気共鳴イメージング装置ＭＲＴ１０１は、ここでは管状であるスペース１０３を有する全身コイル装置１０２を備えており、イメージング法によって患者１０５の撮像画像を生成するために、前記全身コイル装置１０２のスペース１０３内に、たとえば被検体（たとえば患者）等であるボディ１０５を載せた患者用寝台１０４（局所コイル装置１０６を有するかまたは有さない）を矢印ｚの方向に移動させることができる。ここでは、前記ＭＲＴの局所領域（検出器視野またはＦＯＶとも称される）において、当該ＦＯＶにおける前記被検体１０５の部分領域の撮像画像を生成するための局所コイル装置１０６が患者に設置される。この局所コイル装置１０６の信号は、たとえば同軸ケーブルまたは無線（１６７）等を介して当該局所コイル装置１０６に接続される、前記ＭＲＴ１０１の評価装置（１６８，１１５，１１７，１１９，１２０，１２１等）によって評価することができる（たとえば画像に変換、記憶または表示する）。
【００２６】
磁気共鳴装置ＭＲＴ１０１によって被検体１０５（検査対象または患者）を磁気共鳴イメージングによって検査するためには、時間的特性および空間的特性が最大限の精度で相互に適合された複数の異なる磁場が、前記被検体１０５に照射される。ここではトンネル状の開口１０３を有する測定キャビン内に設置された強い磁石（しばしば低温超伝導電磁石１０７であることが多い）が強い主静磁場Ｂ０を生成する。この主静磁場Ｂ０はたとえば、０．２Ｔ〜３Ｔであるか、またはそれ以上である。被検体１０５は患者用寝台１０４上に載せられた状態で、検出領域ＦｏＶ（"field of view"）内ではほぼ均質である、前記主静磁場Ｂ０の領域内へ移動される。被検体１０５の原子核の核スピンは、高周波励起磁気パルスＢ１（ｘ，ｙ，ｚ，ｔ）を用いて励起され、この高周波励起磁気パルスＢ１は、ここでは被検体コイル１０８（たとえば複数の部品＝１０８ａ，１０８ｂ，１０８ｃから成る）として非常に簡略的に示された高周波アンテナを介して（および／または、場合によっては局所コイル装置も用いて）照射される。高周波励起パルスはたとえばパルス生成ユニット１０９によって生成され、このパルス生成ユニット１０９はパルスシーケンス制御ユニット１１０によって制御される。前記高周波励起パルスは、高周波増幅器１１１によって増幅された後、前記高周波アンテナ１０８へ伝送される。ここで図示された高周波システムは概略的に示されただけである。１つの磁気共鳴装置１０１においてしばしば、１つより多くのパルス生成ユニット１０９と、１つより多くの高周波増幅器１１１と、複数の高周波アンテナ１０８ａ，１０８ｂ，１０８ｃが使用されることが多い。
【００２７】
さらに、前記磁気共鳴装置１０１は傾斜磁場コイル１１２ｘ，１１２ｙ，１１２ｚ，Ｓ‐Ｇも有する（ないしは、場合によっては、局所コイルおよび／または患者用寝台に設置された局所傾斜磁場コイルＳ‐Ｇも有する）。これは、測定時に、層の選択的な励起と測定信号の位置コーディングとを行うための傾斜磁場ＢＧ（ｘ，ｙ，ｚ，ｔ）を照射するためのものである。前記傾斜磁場コイル１１２ｘ，１１２ｙ，１１２ｚは（場合によってはＳ‐Ｇも）、傾斜磁場コイル制御ユニット１１４によって（場合によっては増幅器Ｖｘ，Ｖｙ，Ｖｚも用いて）制御され、この傾斜磁場コイル制御ユニット１１４はパルス生成ユニット１０９と同様、前記パルスシーケンス制御ユニット１１０に接続されている。
【００２８】
（被検体内の原子核の）励起された核スピンから送信された信号は、被検体コイル１０８および／または少なくとも１つの局所コイル装置１０６によって受信され、これに対して設けられた高周波増幅器１１６によって増幅され、受信ユニット１１７によってさらに処理されてデジタル変換される。このようにして記録された測定データはデジタル変換され、複素数値としてｋ空間マトリクスで格納される。多次元フーリエ変換を用いて、値が割り当てられた前記ｋ空間マトリクスから、対応するＭＲ画像を再構築することができる。
【００２９】
送信モードおよび受信モードの双方のモードで動作できるコイルの場合、たとえば被検体コイル１０８または局所コイル１０６に関しては、前置接続された送受信切替スイッチ１１８によって、正確に信号転送が行われるように制御される。
【００３０】
画像処理ユニット１１９が前記測定データから画像を生成し、この生成された画像はオペレータコンソール１２０を介してユーザに表示され、および／または、記憶ユニット１２１に記憶される。中央コンピュータユニット１２２が、設備の各コンポーネントを制御する。
【００３１】
ＭＲ断層撮像では、信号雑音比（ＳＮＲ）が高い画像は、現在は通常、いわゆる局所コイル装置（Coils, Local Coils）を用いて撮像される。この局所コイル装置は、被検体１０５の上部（anterior）または下部（posterior）の直近に、または、被検体１０５の表面または内部に取り付けられるアンテナシステムである。ＭＲ測定では、励起された核が前記局所コイルの各アンテナにおいて電圧を誘導し、この誘導された電圧は低雑音プリアンプ（たとえばＬＮＡ）によって増幅され、最後に受信電子回路へ伝送される。高分解能の画像でも信号雑音比を改善するためには、いわゆる高周波装置が使用される（１．５Ｔ〜１２Ｔ以上）。ＭＲ受信系に複数の個別アンテナを接続でき、これらの個別アンテナが受信器として設けられている場合には、受信アンテナと受信器との間にたとえばマトリクススイッチ（ＲＣＣＳとも称される）が組み込まれる。このマトリクススイッチは、目下アクティブである受信路（大抵は、磁石のＦＯＶに目下包含されている受信路）を、設置された受信器までルーティングする。これにより、より多くのコイル部品を接続して受信器として設置することが可能になる。というのも、全身をカバーする場合、磁石のＦＯＶ（検出視野）ないしは均質ボリュームにあるコイルのみを読み出せばよいからである。
【００３２】
局所コイル装置１０６とは、たとえば一般には、たとえば１つのアンテナ素子から構成するか、または複数のアンテナ素子（とりわけコイル素子）から成るアレイコイルから構成することができるアンテナシステムを指す。この個別のアンテナ素子は、たとえばループアンテナ（Loop）、バタフライアンテナ、フレックスコイルまたはサドル型コイルとして構成される。１つの局所コイル装置にはたとえば、コイル素子と、プリアンプと、別の電子回路（シース波トラップ装置等）と、ケーシングと、台と、大抵は少なくとも１つのケーブルとが含まれる。このケーブルは、当該ケーブルをＭＲＴ装置に接続するためのコネクタを有する。装置側に取り付けられた受信器１６８は、局所コイル１０６からたとえば無線方式等で受信した信号をフィルタリングおよびデジタル変換し、このデータをデジタル信号処理装置へ転送する。このデジタル信号処理装置は、測定によって得られたデータから、大抵は画像またはスペクトルを導出し、たとえばユーザが後で診断するためにユーザに対して、および／または記憶するために、この画像またはスペクトルを出力する。
【００３３】
図１には、特に本発明の一実施例として、たとえば患者用寝台１０４のインタフェースＩから局所コイル１０６へ信号を伝送するためのケーブルＫを備えたＭＲＴシステム１０１を示している（前記ケーブルＫは、ソケットおよび／またはプラグＳｔ１および／またはＳｔ２を有する）。局所コイル１０６はここでは、送信コイルＳ‐Ｔ（高周波信号Ｔに応じて磁場（Ｂ１（ｘ，ｙ，ｚ，ｔ））を送信し、かつ受信するためのコイル）、および／または、シムコイルＳ‐Ｓ（シム信号Ｓに応じて（１０ｋＨｚ未満の周波数の）静磁場または準静磁場（ＢＳ（ｘ，ｙ．ｚ．ｔ））を生成するためのコイル）、および／または、傾斜磁場コイルＳ‐Ｇ（傾斜磁場信号Ｇに応じて磁場（ＢＧ（ｘ，ｙ，ｚ，ｔ））を生成するためのコイル）を有する。
【００３４】
傾斜磁場システム制御部１１４から患者用寝台１０４のインタフェースＩへの傾斜磁場信号Ｇの伝送は、ここではケーブルＫＧを介して行われ、シム信号制御部（ここでは１１０内にある）から患者用寝台１０４のインタフェースＩへのシム信号Ｓの伝送は、ここではケーブルＫＳを介して行われ、高周波信号生成装置１１７から患者用寝台１０４のインタフェースＩへの高周波信号Ｔの伝送は、ここではケーブルＫＴを介して行われる。インタフェースＩへ傾斜磁場信号Ｇおよび／またはシム信号Ｓおよび／または高周波信号Ｔを伝送するために、１つの同じケーブルＫＧを共用することも可能であり、たとえば、インタフェースＩを終点とするおよび／または患者用寝台１０４を通るおよび／または患者用寝台１０４まで延在するケーブル区間にてケーブルを共用することができる。
【００３５】
特にＵＨＦ帯のＭＲＴシステムでは、前記局所コイル１０６としてたとえば、局所マルチチャネルコイル１０６および／または局所シムコイルＳ‐Ｓを（たとえば局所コイルにて、および／または患者用寝台にて）設置することができる。高周波送信チャネルがＮ個であり、シムチャネルがＭ個である場合には、使用される信号供給線はＮ＋Ｍ個となる。チャネル数および所要のケーブル断面数により、必要なケーブルまたはケーブルストランドはあっという間に、非常に扱いづらい寸法になってしまう。少なくとも社内において知られていた従来のコンセプトは、高周波チャネルとシムチャネルとで別個の信号伝送線を使用するというものであった。つまり、総数がＮ＋Ｍ個のケーブルを使用するというものである（１つのケーブルには、信号往路と信号復路とが含まれる）。場合によっては、高周波チャネル数と局所シムチャネル数とは非常に近いことがある（たとえば８〜１６個）。高周波チャネルには同軸ケーブルが使用されるが、シムケーブルにも同軸ケーブルが適している場合がある。というのも、同軸ケーブルはシールドの他にも、ローレンツ力フリーの信号伝送を実現できるからである。
【００３６】
本発明の一実施形態は、１つの同じケーブルＫまたは複数の同じケーブルを（場合によっては、たとえばＫＧ，ＫＳ，ＫＴも）、高周波信号（Ｔ，Ｒ）伝送にもシム信号（Ｓ）伝送にも使用するというものである（すなわち、１つの同軸ケーブルＫで高周波チャネルおよびシムチャネルを実現する）。つまり、たとえば局所コイル１０６において（および／または患者用寝台において）局所高周波送信アレイとシムアレイとを組み合わせたものに供給するために、同じケーブルを使用する。このことにより、所要ケーブル数をたとえば約半分にまで低減させることができる。両周波数帯は相互に大きく離れているので、信号の（Ｔ，（Ｒは受信信号を意味する），Ｓ、場合によってはＧも）供給および取り出しは特に面倒無く行うことができる。想定されるアンペア領域のシム電流では、典型的には１０ｍｍの送信同軸ケーブルの導体断面で十分であり、高周波のみの伝送時には表皮効果により、この導体断面の大部分は使用されないままになる。
【００３７】
それぞれ相互に大きく離れた周波数帯にある信号を、局所送信アレイおよびシムアレイへの信号供給線に多重に割り当てることにより、所要ケーブル数を格段に低減させることができる。このことは、コストおよびケーブル設置に関しても有利である。とりわけ、傾斜磁場電流が過度に高くない場合や、適切な（太さの）ケーブルの場合には、局所マルチチャネル高周波送信アレイへの供給と傾斜磁場アレイへの供給とを組み合わせて行うためにも、本発明を用いることができる。
【符号の説明】
【００３８】
１０１    磁気共鳴イメージング装置 ＭＲＴ
１０２    全身コイル装置
１０３    全身コイル装置１０２のスペース
１０４    患者用寝台
１０５    被検体
１０６    局所コイル装置
１０７    低温超伝導電磁石
１０８    被検体コイル
１０９    パルス生成ユニット
１１０    パルスシーケンス制御ユニット
１１２ｘ，１１２ｙ，１１２ｚ，Ｓ‐Ｇ  傾斜磁場コイル
１１７    受信ユニット
１１８    送受信切替スイッチ
１１９    画像処理ユニット
１２０    オペレータコンソール
１２１    記憶ユニット
１２２    中央コンピュータユニット
【図１】
2014061383.tif 000003